(57)【要約】【課題】部品数を減らし、組み立ての作業性を向上することができる照明器具を提供する。【解決手段】被取付部となる本体８と、この本体８にねじ７により取付けられる交換部品とを備え、本体８はねじ７を挿通する穴部２４を有し、穴部２４およびねじ７にねじ７を抜止め係止する係止部を設けている。この場合、穴部２４は大径部２２と小径部２３からなる鍵穴形状を有し、ねじ７はその頭部７ａとねじ部７ｃの間に周溝７ｂを有し、大径部２２の径を頭部７ａの径より大とし、小径部２３を周溝７ｂが嵌合可能な径とし、係止部が小径部２３と周溝７ｂにより構成されている。【選択図】  図１
2004335317.tif 000002
【特許請求の範囲】
【請求項１】
被取付部となる本体と、この本体にねじにより取付けられる交換部品とを備え、前記本体は前記ねじを挿通する穴部を有し、前記穴部および前記ねじの少なくとも一方に前記ねじを抜止め係止する係止部を設けたことを特徴とする照明器具。
【請求項２】
前記穴部は大径部と小径部からなる鍵穴形状を有し、前記ねじはその頭部とねじ部の間に周溝を有し、前記大径部の径を前記頭部の径より大とし、前記小径部を前記周溝が嵌合可能な径とし、前記係止部が前記小径部と前記周溝により構成された請求項１記載の照明器具。
【請求項３】
前記係止部は前記穴部または前記ねじ部に設けられて前記ねじを前記穴部に押し込むことにより抜止め係止する突起である請求項１記載の照明器具。
【請求項４】
前記係止部は前記穴部の縁部より延出して先端が前記ねじの谷に係合する弾性片である請求項１記載の照明器具。
【請求項５】
前記係止部は前記穴部の縁部に形成された切起こし部と、前記ねじに形成されたくびれた首部とで構成され、前記ねじに前記交換部品を通しナットで締付けることにより、前記切起こし部を前記首部に係止する請求項１記載の照明器具。
【発明の詳細な説明】
【０００１】
【発明の属する技術分野】
本発明は、照明器具の交換部品を器具本体に固定する構造を有する照明器具に関するものである。
【０００２】
【従来の技術】
従来よりある照明器具は、主に灯具本体１、反射板２、安定器、ブロック等の寿命に限りのある交換部品３といった部品から構成される（図７）。Ｌはランプである。次に図７に示したＡ−Ａ′断面の交換部品の取り付け構造を図８（ａ）に示す。一般的に、本体１の穴部に背面側（灯具を取り付けた状態で上側）よりねじ４を通し、本体１の内面側（灯具を取り付けた状態で下側）よりねじ４の先端に交換部品３が通され、ナット５をねじ４の先端に締めつけることにより灯具本体１に固定されている。
【０００３】
上述した照明器具の交換部品３の交換方法としては、灯具を天井から取り外して、ねじ４およびナット５を灯具本体１から外して交換部品３を交換する必要がある。灯具を天井に取付けたまま、灯具本体１の内面側からナット５を外した場合、灯具本体１の背面側へねじ４が抜けてしまうからである。
【０００４】
そこで、灯具を天井から取り外さずに交換部品３を交換可能とした従来例を図８（ｂ）、（ｃ）に示す。図８（ｂ）は図８（ａ）と同様に図７中のＡ−Ａ′断面を示しており、ねじ４を灯具本体１の内面側から止める構造を有した抜け止め金具６により固定させ、ねじ４を灯具本体１の背面側へ抜けないようにし、これによって本体内面から交換部品３を交換可能としている。
【０００５】
【特許文献】
特開平１０−０４０７３１号
【０００６】
【発明が解決しようとする課題】
上述した従来例の照明器具の交換部品３は、灯具を天井から取り外すことなく、灯具本体１の内面側より交換可能とし、メンテナンス性を向上させることができる。
【０００７】
しかし、従求例では、本体内面から部品交換３ができるが、ねじ４、ナット５、抜け止め金具６の３点から構成されるため、部品点数が多く、組み立ての作業性が悪い。
【０００８】
そこで、本発明では部品数を減らし、組み立ての作業性を向上することができる照明器具を提供することを目的とする。
【０００９】
【課題を解決するための手段】
請求項１記載の照明器具は、被取付部となる本体と、この本体にねじにより取付けられる交換部品とを備え、前記本体は前記ねじを挿通する穴部を有し、前記穴部および前記ねじの少なくとも一方に前記ねじを抜止め係止する係止部を設けたことを特徴とするものである。
【００１０】
請求項１記載の照明器具によれば、ねじが本体に保持されているので、灯具を天井から取り外すことなく、本体の内面側より交換部品の交換が可能となり、安定器やブロックといった交換部品のメンテナンス性を向上させることができる。更に、従来と比べて交換部品の部品数を減らすことができるので、組立て性についても改善することができる。
【００１１】
請求項２記載の照明器具は、請求項１において、前記穴部が大径部と小径部からなる鍵穴形状を有し、前記ねじはその頭部とねじ部の間に周溝を有し、前記大径部の径を前記頭部の径より大とし、前記小径部を前記周溝が嵌合可能な径とし、前記係止部が前記小径部と前記周溝により構成されたものである。
【００１２】
請求項２記載の照明器具によれば、ねじの頭部を鍵穴の大きい方に入れ、鍵穴の小さい方に周溝をスライドさせ、ねじが本体背面に抜けないようにすることができるため、請求項１と同様な効果がある。
【００１３】
請求項３記載の照明器具は、請求項１において、前記係止部が前記穴部または前記ねじ部に設けられて前記ねじを前記穴部に押し込むことにより抜止め係止する突起である
請求項３記載の照明器具によれば、本体に穴部を設け、ねじを鉛直方向に押し込み、ねじを本体と嵌合させることにより、穴部の突起がねじにまたはねじの突起が穴部に抜止め係止してねじが本体背面に抜けないので、請求項１と同様な効果がある。
【００１４】
請求項４記載の照明器具は、請求項１において、前記係止部が前記穴部の縁部より延出して先端が前記ねじの谷に係合する弾性片である。
【００１５】
請求項４記載の照明器具によれば、例えば本体自体にタップ加工を施された場合と同様の役割を果たす異形穴を有するものであり、ねじを本体背面側から固定させ抜けないようにしたため、請求項１と同様な効果がある。
【００１６】
請求項５記載の照明器具は、請求項１において、前記係止部が前記穴部の縁部に形成された切起こし部と、前記ねじに形成されたくびれた首部とで構成され、前記ねじに前記交換部品を通しナットで締付けることにより、前記切起こし部を前記首部に係止するものである。
【００１７】
請求項５記載の照明器具によれば、ねじとナットにて交換部品を固定させる際、予め本体を切起こしておいた部分が変形し戻されてねじと嵌合し、これによりねじが本体背面に抜けないようにしているので、請求項１と同様な効果がある。
【００１８】
【発明の実施の形態】
（第１の実施の形態）
この発明の第１の実施の形態を図１に示す。この照明器具は、被取付部となる本体８と、この本体８にねじ７により取付けられる交換部品（図示せず）とを備えている。本体８はねじ７を挿通する穴部２４を有し、穴部２４およびねじ７にねじ７を抜止め係止するための係止部を設けている。穴部２４が大径部２２と小径部２３からなる鍵穴形状を有し、ねじ７はその頭部７ａとねじ部７ｃの間の首に周溝７ｂを有し、大径部２２の径を頭部７ａの径より大とし、小径部２３を周溝７ｂが嵌合可能な径とし、係止部は小径部２３と周溝７ｂにより形成されている。
【００１９】
図１は、灯具本体８にねじ７が抜けないように保持する構造を示す。穴部２４の大径部２２の径ｄ１、小径部２３の径ｄ２、ねじ７の頭部７ａの径Ｄ１、ねじ根元の首部のくびれにより形成した周溝７ｂは径Ｄ２である。ねじ部７ｃの山径Ｄ３である。この時の本体８の穴部２４とねじ７の寸法関係は次のようになっている。
【００２０】
ｄｌ＞Ｄｌ＞Ｄ３＞ｄ２＞Ｄ２
頭部７ａを本体８の大径部２２に挿入し、周溝７ｂを本体８の小径部２３にスライドさせると、ねじ７が本体背面側へ抜けないようになり、部品交換を本体内面側から可能となる。
（第２の実施の形態）
この発明の第２の実施の形態を図２に示す。図２は本体９にねじ１０が抜けないように保持する構造を示す。本体９は第１の実施の形態の本体８と同様であり、同一箇所に同一符号を付している。ねじ１０は座金組み込みねじであり、首部のねじ部１０ｃ側に径ｄ４の座金部１０ｄを一体に設け、周溝１０ｂを頭部１０ａと座金部１０ｄとの間に形成している。その他は第１の実施の形態と共通する。
【００２１】
この時の穴部２４とねじ１０の寸法関係は次のようになっている。
【００２２】
ｄ１＞Ｄ１およびＤ４＞ｄ２およびＤ３＞Ｄ２
頭部１０ａを本体９の大径部２２に挿入し、周溝１０ｂを本体９の小径部２３にスライドさせ、ねじ１０の座金部１０ｄが突っ張ることにより（Ｄ４＞ｄ２）、座金組み込みねじ１０が本体背面側へ抜けないので、部品交換を本体内面側から可能となる。
（第３の実施の形態）
この発明の第３の実施の形態を図２により説明する。図２は本体９にねじ１０が抜けないように保持する構造を示す。第２の実施の形態では、図２中のｄ１＞Ｄ４であったため、座金組み込みねじ１０が大径部２２より本体背面に抜けてしまうが、Ｄ３＞ｄ１とすることにより、鍵穴の大きい方の径でも座金組み込みねじ１０が本体背面に抜けず、交換部品を取り付けることが可能となる。
（第４の実施の形態）
この発明の第４の実施の形態を図３に示す。図３は本体１１にねじ１２が抜けないように保持する構造を示す。係止部は穴部２４に設けられてねじ１２を穴部２４に押し込むことにより抜止め係止する突起２５である。本体１１に形成した穴部２４は径ｄ４の丸穴である。突起２５は穴部２４の一直径線上に相対向して一対設け、その先端間の寸法すなわちくびれ部の径ｄ３である。ねじ１２は頭部１２ａの下の首部１２ｂのねじ部１２ｃ側にふくらみ部１２ｄを有し、首部１２ｂはくびれている。ねじ１２の各部の寸法は図２のねじ１０と対応し、頭部１２ａの径Ｄ１、首部１２ｂの径Ｄ２、ねじ部１２ｃのねじ山の径Ｄ３、ふくらみ部１２ｄの径Ｄ４である。このとき、本体１１の穴部２４とねじ１２の寸法関係は次のようになっている。
【００２３】
Ｄ１＞ｄ４＞Ｄ４＞ｄ３＞Ｄ２＞Ｄ３
ねじ１２を鉛直方向に差し込み、ねじ根元のふくらみ部１２ｄが本体１１の突起２５を乗り越え、ねじ根元の首部１２ｂに本体１１の穴部２４が嵌合することにより、本体背面側にねじ１２が抜けず、交換部品を取り付けることが可能となる。
（第５の実施の形態）
この発明の第５の実施の形態を図４に示す。図４は本体１３にねじ１４が抜けないように保持する構造を示す。この実施の形態では突起２６をねじ１４に設けている。すなわち、本体１３は径ｄ４の丸穴の穴部２４を有し、ねじ１４は頭部１４ａの径Ｄ１、ねじ根元の首部１４ｂの径Ｄ２、突起２６のついた部分の最大径Ｄ５、ねじ部１４ｃの山径Ｄ３を有する。本体１３の穴部２４とねじ１４の寸法関係は次のようになっている。
【００２４】
Ｄ１＞Ｄ５＞ｄ４＞Ｄ２＝Ｄ３
ねじ１４を鉛直方向に差し込み、ねじ根元に有した突起２６が本体１３の穴部２４に引っ掛かるが、更に押し込むことにより、突起２６が穴部２４を乗り越え、ねじ根元の首部１４ｂが本体１３の穴部２４で嵌合し、本体背面側にねじ１４が抜けず、交換部品を取り付けることが可能となる。この実施の形態は、本体が丸穴でよいため、加工が簡単である。
【００２５】
なお、突起２６は首部１４ｂの周囲に傾斜して設け、ねじ１４をねじ込みながら首部１４ｂを穴部２４に嵌め込むようにしてもよい。またナット（図示せず）をねじ１４に締付けたときナットが突起２６に干渉する場合、ナットの雌ねじ穴の端部に例えばテーパ状の突起逃げ部を形成し、ねじ切り部を逃しておく。
（第６の実施の形態）
この発明の第６の実施の形態を図５に示す。図５は本体１５にねじ１６が抜けないように保持する構造を示す。係止部は穴部２４の縁部より延出して先端がねじ１６の谷に係合するように相対向する一対の弾性片１５ａ、１５ｂにより形成している。実施の形態の穴部２４は略Ｈ形をなす異形穴であり、中央に相対向する片を一対の弾性片１５ａ、１５ｂとしている。弾性片１５ａ、１５ｂの先端はねじ１６のねじ山の谷に嵌合する円の一部をなす円弧状に形成されており、その間隔（径）は雄ねじ１６の谷径ｄ６に等しくしている。頭部の径Ｄ１とすると、Ｄ１＞ｄ６である。ねじ１６を本体１５に押し込むことにより、本体１５に設けられた弾性片１５ａ、１５ｂがたわみながらねじ１６が奥まで入っていく。更に交換部品をフランジナット等のナット（図示せず）にて止めることにより、本体１５の弾性片１５ａ、１５ｂが水平に戻され、ねじ１６を本体１５に固定させることができる。この実施の形態によれば、従来のねじを使用でき、本体のみの穴加工で対応することができる。
（第７の実施の形態）
この発明の第７の実施の形態を図６に示す。図６は本体１７にねじ１８が抜けないように保持する構造を示す。係止部は穴部２４の縁部に形成された切起こし部１７ａ、１７ｂと、ねじ１８に形成されたくびれた首部１８ｂとで構成され、ねじ１８に交換部品１９を通してナット２０で締付けることにより、切起こし部１７ａ、１７ｂを交換部品１９を介してナット２０で押して首部１８ｂに係止する。
【００２６】
本体１７は、穴部２４が略Ｈ形の異形穴であり、その中央部に一対の相対向する切起こし部１７ａ、１７ｂを形成している。切起こし部１７ａ、１７ｂの先端は円弧状に凹設され、間隔ｄ７をおいている。穴部２４の最大距離ｄ８である。ねじ１８は頭部１８ａの径Ｄ１、ねじ根元のくびれた首部１８ｂの径Ｄ２、ねじ根元の首部１８ｂのねじ部１８ｃ側に設けたふくらみ部１８ｄの径Ｄ４、ねじ部１８ｃの山径Ｄ３を有し、交換部品１９は取付用穴１９ａの径ｄ′を有する。それら各々の寸法関係は次のようになっている。
【００２７】
Ｄ８＞Ｄ１およびｄ’＞ｄ７＞Ｄ４＞Ｄ２およびＤ３
ねじ１８を本体１７の穴部２４の切起こし部１７ａ、１７ｂ間に差し込み、交換部品１９の取付用穴１９ａを通し、フランジナット等のナット２０をねじ１８の先端にねじ込んで交換部品１９を締付け固定することにより、予め切起こされた本体１７の切起こし部１７ａ、１７ｂが水平に戻されるように変形し、ねじ根元のふくらみ部１８ｄを乗り越え首部１８ｂにかしめられる。この結果、ねじ１８が本体１７に固定され、本体内面側から部品交換を可能となる。ねじ１８を外すときはねじ１８の根元をハンマ等でたたけばよい。
【００２８】
なお、この発明において、穴部２４は本体に切欠き状に形成されることは可能である。
【００２９】
【発明の効果】
請求項１記載の照明器具によれば、ねじが本体に保持されているので、灯具を天井から取り外すことなく、本体の内面側より交換部品の交換が可能となり、安定器やブロックといった交換部品のメンテナンス性を向上させることができる。更に、従来と比べて交換部品の部品数を減らすことができるので、組立て性についても改善することができる。
【００３０】
請求項２記載の照明器具によれば、ねじの頭部を鍵穴の大きい方に入れ、鍵穴の小さい方に周溝をスライドさせ、ねじが本体背面に抜けないようにすることができるため、請求項１と同様な効果がある。
【００３１】
請求項３記載の照明器具によれば、本体に穴部を設け、ねじを鉛直方向に押し込み、ねじを本体と嵌合させることにより、穴部の突起がねじにまたはねじの突起が穴部に抜止め係止してねじが本体背面に抜けないので、請求項１と同様な効果がある。
【００３２】
請求項４記載の照明器具によれば、例えば本体自体にタップ加工を施された場合と同様の役割を果たす異形穴を有するものであり、ねじを本体背面側から固定させ抜けないようにしたため、請求項１と同様な効果がある。
【００３３】
請求項５記載の照明器具によれば、ねじとナットにて交換部品を固定させる際、予め本体を切起こしておいた部分が変形し戻されてねじと嵌合し、これによりねじが本体背面に抜けないようにしているので、請求項１と同様な効果がある。
【図面の簡単な説明】
【図１】この発明の第１の実施の形態のねじを本体に固定する構成を示す部分斜視図である。
【図２】第２の実施の形態のねじを本体に固定する構成を示す部分斜視図である。
【図３】（ａ）は第４の実施の形態のねじを本体に固定する構成を示す部分斜視図、（ｂ）はその部分拡大図である。
【図４】第５の実施の形態のねじを本体に固定する構成を示す部分斜視図である。
【図５】第６の実施の形態のねじを本体に固定する構成を示す部分斜視図である。
【図６】（ａ）は第７の実施の形態のねじを本体に固定する構成を示す部分斜視図、（ｂ）は交換部品の取付け前の状態の部分分解図である。
【図７】従来例の照明器具の分解斜視図である。
【図８】（ａ）はその交換部品の取付状態の部分側面図、（ｂ）は別の従来例の交換部品の取付状態の部分側面図である。
【符号の説明】
７    ねじ
７ａ    頭部
７ｂ    周溝
７ｃ    ねじ部
８    本体
２２    大径部
２３    小径部
２４    穴部
【図１】
2004335317.tif 000003
【図２】
2004335317.tif 000004
【図３】
2004335317.tif 000005
【図４】
2004335317.tif 000006
【図５】
2004335317.tif 000007
【図６】
2004335317.tif 000008
【図７】
2004335317.tif 000009
【図８】
2004335317.tif 000010